(57)【要約】  本発明は、内部キャビン壁を振動させることによって航空機キャビン内で音響を生成するよう最適に構成された、表面音響変換器を提供する。具体的には、上記表面音響変換器は：ボイスコイル形成器及びワイヤを有するボイスコイル組立体を備える一次組立体；並びに上記一次組立体及び磁石を移動可能な状態で中に保持するための変換器ハウジングを備える。本発明の表面音響変換器は更に、微小移動の改善を提供するよう構造形成されたスパイダを含んでよい。外部から印加される可能性のある力から表面音響変換器を保護するための剛性保持壁と、一次組立体の微小移動を可能とする順応性微小移動カバーとを備える、外側ハウジングを、更に提供してよい。
2018537910.tif 000002
【特許請求の範囲】
【請求項１】
磁場を提供する磁石；
ボイスコイル形成器と、前記ボイスコイル形成器を取り囲むように巻かれたボイスコイルワイヤとを有するボイスコイル組立体を備える、一次組立体であって、前記ボイスコイルワイヤは、前記一次組立体が静止状態である間、前記磁石が提供する前記磁場内に少なくとも部分的に存在する、一次組立体；
前記一次組立体が励起状態となった場合に、前記一次組立体が、微小移動の直線経路に沿って前記磁石から外向きに移動できるように、前記一次組立体及び前記磁石を中に保持するよう、協働的に構造形成された、変換器ハウジング
を備える、表面音響変換器組立体。
【請求項２】
前記一次組立体は更に、前記一次組立体の近位端に取り付けられた連結器リングを備える、請求項１に記載の表面音響変換器組立体。
【請求項３】
前記磁石と前記一次組立体との間に並置される上部シャントプレートを更に備える、請求項１に記載の表面音響変換器組立体。
【請求項４】
前記上部シャントプレートの外縁部は、前記表面音響変換器が静止状態である場合に、前記ボイスコイルワイヤに対して略重なるように配置される、請求項３に記載の表面音響変換器組立体。
【請求項５】
前記磁石の外縁部は、前記表面音響変換器が静止状態である場合に、前記ボイスコイルワイヤに対して部分的に重なるように配置される、請求項３に記載の表面音響変換器組立体。
【請求項６】
前記一次組立体の前記移動を減衰させるためのスパイダを更に備え、
前記スパイダは、前記一次組立体を取り囲むように並置される、請求項１に記載の表面音響変換器組立体。
【請求項７】
前記変換器ハウジングは更に、前記一次組立体を取り囲むように配置されたフランジを備え、
前記フランジは、電源から電力を受け取って前記電力を前記ボイスコイル組立体に中継するよう構造形成された、末端アタッチメントを備える、請求項１に記載の表面音響変換器組立体。
【請求項８】
前記変換器ハウジングは、前記一次組立体の遠位部分に、上記遠位部分を取り囲むように連結された、ヨークを備える、請求項１に記載の表面音響変換器組立体。
【請求項９】
前記ボイスコイル組立体のワット数は２０Ｗ〜３０Ｗである、請求項１に記載の表面音響変換器組立体。
【請求項１０】
前記変換器ハウジングの直径は２５ｍｍ〜３０ｍｍである、請求項１に記載の表面音響変換器組立体。
【請求項１１】
前記変換器ハウジング及び前記一次組立体を中に保持するよう協働的に構造形成された保持壁及び微小移動カバーを備える、外側ハウジング
を更に備え、
前記保持壁は、剛性組成物で形成され、中に前記変換器を閉じ込めて保護し、
前記微小移動カバーは、複数の接触部分によって前記保持壁の近位端に順応するように取り付けられ、前記外側ハウジングから外向きへの前記一次組立体の前記微小移動を可能とする、請求項１に記載の表面音響変換器組立体。
【請求項１２】
前記微小移動カバーは、３つの前記接触部分によって、前記保持壁の前記近位端に取り付けられる、請求項１１に記載の表面音響変換器組立体。
【請求項１３】
前記微小移動カバーは、渦巻き構造を備える、請求項１１に記載の表面音響変換器組立体。
【請求項１４】
前記外側ハウジングは、少なくとも１つの設置用ブラケットによって、下側の表面に係合して設置される、請求項１１に記載の表面音響変換器組立体。
【請求項１５】
前記設置用ブラケットは、接着剤によって、前記下側の表面に固定される、請求項１４に記載の表面音響変換器組立体。
【請求項１６】
前記設置用ブラケットは少なくとも１つのアパーチャを含み、
前記接着剤は、硬化中に前記アパーチャを少なくとも部分的に通過して、前記設置用ブラケットを前記下側の表面上に機械的に保持するよう構造形成された前記下側の表面に対向する、前記設置用ブラケット上の大きな面積を形成するよう、構造形成される、請求項１５に記載の表面音響変換器組立体。
【請求項１７】
磁場を提供する磁石；
円筒形のボイスコイル形成器と、前記ボイスコイル形成器の外側を取り囲むように巻かれたボイスコイルワイヤとを有するボイスコイル組立体を備える、一次組立体であって、前記磁石は、少なくとも部分的に、前記ボイスコイル組立体内に配置される、一次組立体；
前記ボイスコイル組立体及び前記磁石を中に保持するよう構造形成された、変換器ハウジング；並びに
円筒形プロファイルを有する保持壁と、前記変換器ハウジング及び前記ボイスコイル組立体を中に保持するよう協働的に構造形成された微小移動カバーとを備える、外側ハウジング
を備える、表面音響変換器組立体であって、
前記微小移動カバーは、複数の接触部分によって前記保持壁の近位端に順応するように取り付けられ、これにより、前記外側ハウジングから外向きへの前記一次組立体の前記微小移動が可能となる、表面音響変換器組立体。
【請求項１８】
前記磁石の近位表面に連結された上部シャントプレートを更に備え、
前記上部シャントプレートの外縁部は、前記表面音響変換器が静止状態にある場合に、前記ボイスコイルワイヤに重なるように配置される、請求項１７に記載の表面音響変換器組立体。
【請求項１９】
前記磁石の前記外縁部は、前記表面音響変換器が静止状態にある場合に、前記ボイスコイルワイヤに対して部分的に重なるように配置される、請求項１８に記載の表面音響変換器組立体。
【請求項２０】
前記外側ハウジングは、接着剤によって、下側の表面に固定される、請求項１７に記載の表面音響変換器組立体。
【請求項２１】
前記外側ハウジングは、設置用ブラケットにおいて前記下側の表面に固定され、
前記設置用ブラケットは、前記接着剤の少なくとも一部分が硬化中に通過するのを受承する少なくとも１つのアパーチャを備え、
前記接着剤は、前記設置用ブラケットを前記下側の表面に対して機械的に保持するために、前記下側の表面の反対側に、前記設置用ブラケットと係合する大きな面積を備える、請求項２０に記載の表面音響変換器組立体。
【請求項２２】
一次組立体が前記磁石に対して移動可能に配置されるように、前記磁石及び前記一次組立体を中に保持するための、変換器ハウジングを備える、表面音響変換器であって、
前記一次組立体は、前記変換器ハウジングから部分的に外側に突出する円筒形プロファイルを有し、またボイスコイル形成器と、前記ボイスコイル形成器を取り囲むように巻かれたボイスコイルワイヤとを有する、ボイスコイル組立体を備え、
前記磁石は磁場を提供し、前記変換器ハウジングに対して内側の遠位端に連結され、
前記ボイスコイルワイヤは、前記表面音響変換器が静止状態である場合に、少なくとも部分的に、前記磁石が提供する前記磁場内にあり、
また前記表面音響変換器は：
前記一次組立体の前記移動を減衰させるためのスパイダであって、前記スパイダは、前記一次組立体を取り囲むように並置され、前記変換器ハウジングによって固定される、スパイダ；
前記変換器ハウジング及び前記一次組立体を取り囲んで保護するよう構成された、外側ハウジングであって、前記外側ハウジングは、前記一次組立体の近位端に順応し、かつ重なるよう配置された、微小移動カバーを備える、外側ハウジング 
を備える、表面音響変換器。
【請求項２３】
前記磁石の近位表面に連結された上部シャントプレートを更に備え、
前記上部シャントプレートの外縁部は、前記表面音響変換器が静止状態である場合に、前記ボイスコイルワイヤに重なるように配置される、請求項２２に記載の表面音響変換器。
【請求項２４】
前記磁石の外縁部は、前記表面音響変換器が静止状態である場合に、前記ボイスコイルワイヤに部分的に重なるように配置される、請求項２３に記載の表面音響変換器。 
【請求項２５】
前記変換器ハウジングは：
前記一次組立体の遠位部分を取り囲むように連結された、ヨーク；及び
前記一次組立体を取り囲むように配置された、フランジ
を備える、請求項２２に記載の表面音響変換器。
【発明の詳細な説明】
【優先権】
【０００１】
本出願は、米国特許法第１１９条（ｅ）項に準じて、２０１５年１１月１６日出願の同時係属中の米国特許出願第１４／９４２，５６９号に対する優先権を主張するものであり、また２０１６年１１月１６日出願の同時係属中の米国特許出願第１５／３５３，０７０号に対する優先権を主張するものであり、これらの特許出願の内容は、その全体が参照により本出願に援用される。
【技術分野】
【０００２】
本発明は、航空機キャビンに対して最適に構造化された、表面音響変換器、並びに付随するシステム及び方法を提供する。具体的には、独自の構造的組み合わせを提供することにより、磁石に対するボイスコイル組立体（一次組立体）の微小移動(excursion)を保護して、外力又は干渉の影響を軽減する。更に、表面音響変換器がより豊かな音響範囲を提供できるよう、より高ワット数のボイスコイルと組み合わせたスパイダ（ｓｐｉｄｅｒ）によって、より大きな微小移動を提供する。
【背景技術】
【０００３】
従来のラウドスピーカーが、ダイアフラム又はコーンを振動させるための機械的運動に電気信号を変換することによって音響を生成する際、表面音響変換器は、コーンを用いずに音響を生成する。即ち表面音響変換器は、様々な材料製の既存のパネル又は壁といった表面への取り付けによって動作して、上記表面に向かって振動を直接指向させて、音響を生成する。
【０００４】
表面音響変換器は一般に当該技術分野において公知である。例えば表面音響変換器は、従来のラウドスピーカー又はスピーカードライバーからエンクロージャ及びコーンを単に取り除き、音響を生成するための外部振動表面を取り付けることにより、形成してよい。しかしながら、表面変換器はある程度以前から公知であるものの、これらの変換器の技術的限界、及びそれによってもたらされる、変換器を様々な表面に単に取り付けることによる音響の品質の低さにより、商用分野での成功はほとんど収めていない。
【０００５】
具体的には、表面音響変換器の１つの制約は、機械的微小移動がないことによるものであり、これにより、音響周波数のハイ及びローが存在しなくなる。例えば豊かな低音を達成する代わりに、通常の表面音響変換器は周波数応答が限定されており、これにより、従来のラウドスピーカーに比べて低品質の狭帯域応答がもたらされる。表面変換器の別の問題は、表面変換器の設置のために取り付けられたブラケット表面又は外側ハウジングの影響である。即ち構造的には、現行の表面設置型変換器は、表面変換器が取り付けられる振動表面に対する運動又は振動を考慮しない。例えば表面変換器が取り付けられる壁又は表面にもたれかかった人物は、適用部の背後の隣接する表面に対して発生し得る変換器の偏向により、再生される音響又は音響品質に対して抜本的な影響を有することになる。
【発明の概要】
【発明が解決しようとする課題】
【０００６】
従って、より良好な音響を生成し、かつ上述の特定の課題を克服する、改善された表面音響変換器に対して、産業分野において需要が存在する。
【課題を解決するための手段】
【０００７】
本発明は、構造的に独自の表面音響変換器、並びに付随するシステム及び方法を提供することによって、上述の既存の需要を満たす。具体的には本発明は、外部表面を振動させることによって高品質の音響を生成するよう構造形成された、表面音響変換器を提供する。本発明のある好ましい実施形態では、本発明の表面音響変換器は、航空機キャビン内で高品質音響を生成するために最適に構造形成される。当然のことながら、本発明の変換器はまた、他の表面を振動させるよう構成して、そのために利用してもよい。
【０００８】
従って本発明の表面音響変換器は、第一義の広い意味においては、一次組立体と、上記一次組立体を中に保持するよう構造形成された変換器ハウジングとを備える。
【０００９】
上記一次組立体は、ボイスコイル組立体を格納し、ボイスコイル形成器及びボイスコイルワイヤ、並びに任意に連結器リングを含むよう構造形成される。一次組立体は略円筒形であってよく、その近位端の一部分は変換器ハウジングから外向きに突出する。磁石は一次組立体の遠位端に配置される。連結器リングは一次組立体の近位端に取り付けてよい。一次組立体の主要本体部分はボイスコイル形成器から形成でき、ボイスコイル形成器には、その少なくとも一部分を取り囲むようにボイスコイルワイヤが巻かれている。
【００１０】
上記変換器ハウジングは、フランジ構造体及びヨーク構造体、スパイダ、並びに磁石、並びにその中に取り付けられた及び／又は配置された上部シャントプレートを備えてよい。フランジ構造体は、変換器ハウジングの近位部分を形成し、ヨーク構造体は、変換器ハウジングの遠位部分を形成する。上記ヨークは、一次組立体の遠位端に連結するか、又は運動可能に取り付けてよい。上部シャントプレートは、磁石と一次組立体との間において一次組立体の遠位端に並置してよい。より具体的には、上部シャントプレートは、ボイスコイル形成器の略内部に配置してよく、またボイスコイルワイヤを、ボイスコイル形成器の一部分において、ボイスコイル形成器の外側に巻くことにより、上部シャントプレートの外縁部に対して略重なる位置に配置してよい。磁石は、磁石の縁部の一部分がボイスコイル組立体のボイスコイルワイヤに対して重なる位置となるように、変換器ハウジングの遠位表面に取り付けてよく、及び／又は上記遠位表面に配置してよい。フランジは、上記ボイスコイル組立体の外側表面を取り囲むように配置してよい。末端アタッチメントはフランジの一部分に取り付けてよく、また電気入力を受信するよう構造形成及び配置してよい。スパイダは、一次組立体、より詳細にはその一部分を形成するボイスコイル組立体と並置された状態で、フランジに連結してよい。スパイダは、電気入力信号によってボイスコイル組立体が電気的に励起された場合に、ボイスコイル組立体の運動を機械的に減衰させる、及び／又は少なくとも部分的に妨害するように、配置してよい。
【００１１】
変換器ハウジングを少なくとも部分的に閉じ込めるために、外側ハウジング又は設置用ブラケットを更に設けてよい。外側ハウジングは、剛性組成物の円筒形保持壁と、その上に配置される及び／又は付着させられる微小移動カバーとを備えてよく、上記微小移動カバーは、変換器を保護しながら、同時にその中での一次組立体の微小移動を可能とする。
【００１２】
本発明のこれらの及びその他の目的、特徴及び利点は、図面及び「発明を実施するための形態」を考慮すると更に明らかになるだろう。
【００１３】
本発明の性質をより完全に理解するために、以下の「発明を実施するための形態」を、添付の図面と関連付けて参照する必要がある。
【図面の簡単な説明】
【００１４】
【図１】本発明の一実施形態における表面音響変換器の外面斜視図
【図２】図１の表面音響変換器の底部プロファイル外面図
【図３Ａ】図１の表面音響変換器の側部プロファイル外面図
【図３Ｂ】図１の表面音響変換器の側部プロファイル部分切り欠き図
【図４Ａ】図１の表面音響変換器の別の側部プロファイル切り欠き図
【図４Ｂ】図４Ａに示す表面音響変換器の断面の拡大図
【図５】本発明の表面音響変換器の一部を形成する連結器リングのプロファイル図
【図６】本発明の表面音響変換器の一部を形成するボイスコイル組立体と接続された、図５の連結器リングのプロファイル図
【図７】本発明の表面音響変換器の一部を形成する磁石のプロファイル図
【図８】本発明の表面音響変換器の一部を形成するフランジのプロファイル図
【図９】本発明の表面音響変換器の一部を形成するスパイダのプロファイル図
【図１０】本発明の表面音響変換器の一部を形成する上部シャントプレートのプロファイル図
【図１１】本発明の表面音響変換器の一部を形成するヨークのプロファイル図
【図１２】外側ハウジング内に設置された表面音響変換器のプロファイル図
【図１３Ａ】図１２の外側ハウジングのプロファイル図
【図１３Ｂ】図１２の外側ハウジングの上面図
【図１３Ｃ】図１２の外側ハウジングの側面図
【図１４】図１２の外側ハウジングを介して航空機の窓パネルの周縁に沿って設置された、図１の表面音響変換器のうちの１つ以上を利用する、アクティブノイズキャンセルシステムの概略図
【図１５】図１２の外側ハウジングを介して航空機の窓領域の周縁に沿って設置された、図１の表面音響変換器のうちの１つ以上を利用する、別のアクティブノイズキャンセルシステムの概略図
【図１６】設置用ブラケットを下側の表面に固定するための接着剤の好ましい使用を実証する、そこだけを取り出した断面図
【発明を実施するための形態】
【００１５】
複数の図面を通して、同様の参照番号は同様の部品を指す。
【００１６】
添付の図面に示すように、本発明は表面音響変換器を対象とする。ある好ましい実施形態では、本発明の表面音響変換器は、以下で説明するように、航空機キャビンの内部キャビン壁、隔壁及び／又は窓を振動させることにより、航空機キャビン内において高品質音響を生成するために最適に構造形成される。当然のことながら、本発明の表面音響変換器は、他の表面を振動させるために利用してもよい。具体的には、本発明の表面音響変換器は、ボイスコイル組立体及び磁石を有する一次組立体を少なくとも部分的に閉じ込めるよう構造形成された、変換器ハウジングを含む。ある実施形態では、変換器ハウジングは更に、微小移動カバーを有する外側ハウジング又は設置用ブラケット内に設置してよい。この微小移動カバーを順応性らせん構造で形成することにより、表面音響変換器を外乱から保護しながら、同時に微小移動カバーによって変換器の微小移動を可能としてよい。これにより、例えば表面音響変換器が取り付けられたキャビン壁、又は表面音響変換器の付近の若しくは表面音響変換器に接する他の表面若しくは材料に、人物がもたれかかった場合に、変換器の音響範囲及び品質を全く犠牲にすることなく、音響の歪みが防止又は最小化される。
【００１７】
図１及び２は、本発明の表面音響変換器１００を概略図で示している。図１は本発明の変換器１００の斜視図を提供し、図２は本発明の変換器１００の底面図を提供する。最初に示されているように、変換器１００はその外側に、変換器ハウジング１２０と、その中に保持された一次組立体１１０とを備えてよい。
【００１８】
一次組立体１１０は略円筒形に形成してよく、またボイスコイル組立体１１７を備えてよく、及び／又はボイスコイル組立体１１７から少なくとも部分的に形成されてよく、ボイスコイル組立体１１７の近位端の少なくとも一部分は、変換器ハウジング１２０から外向きに突出する。変換器ハウジング１２０は、変換器ハウジング１２０の近位部分を形成するフランジ１０３と、変換器ハウジング１２０の遠位部分を形成するヨーク１０４とを備えてよい。更に、一次組立体１１０の遠位端はヨーク１０４内で終端してよい。
【００１９】
フランジ１０３は、上記変換器ハウジング１２０の近位端に連結してよく、その一部分を形成する。上記フランジ１０３は、一次組立体１１０を取り囲むように配置される。フランジ１０３は、添付の図面に示すようにフランジの端部又は縁部に連結された末端アタッチメント１０５を備えてよい。末端アタッチメント１０５は、電源から電力を受け取り、更にボイスコイル組立体１１７に上記電力を中継するための、少なくとも１つの正及び負端子部分を用いて構造形成される。本発明の少なくとも１つの実施形態では、変換器ハウジング１２０、又はより詳細にはフランジ１０３は、２５ｍｍ〜３０ｍｍの直径を備える。
【００２０】
ヨーク１０４は、上記変換器ハウジング１２０の遠位端に連結してよく、その別の部分を形成する。上記ヨーク１０４は、一次組立体１１０の遠位部分に対して、少なくとも部分的に取り囲むように連結してよい。
【００２１】
図３Ａ及び３Ｂに注目すると、表面音響変換器１００の側部プロファイル図及び部分切り欠き側部プロファイル図がそれぞれ示されている。図３Ａにおけるように、一次組立体１１０は更に、その近位端に取り付けられた連結器リング１０１を備えてよい。一次組立体１１０は、連結器リング１０１とヨーク１０４との間に配置されたボイスコイル組立体１１７を備えてよい。
【００２２】
図３Ｂに注目すると、表面音響変換器１００の部分切り欠き図は更にスパイダ１０２を示し、これは少なくとも部分的にフランジ１０３に連結され、またボイスコイル組立体１１７を備える一次組立体１１０の運動を減衰させるよう構造形成される。従ってスパイダ１０２は、一次組立体１１０、又はより具体的にはボイスコイル組立体１１７を取り囲むように連結してよい。磁場を提供する磁石１１１は、変換器ハウジング１２０の遠位端に連結され、ボイスコイル組立体１１７が静止状態である場合等には、一次組立体１１０及び／又はボイスコイル組立体１１７の遠位端、並びにそのボイスコイルワイヤ１１６付近に配置される。上部シャントプレート１１２は、ボイスコイル組立体１１７の遠位部分に沿って周方向に形成してよく、磁石１１１に並置された状態で配置してよい。更に、少なくとも１つの実施形態では、シャントプレート１１２は、隅部での磁場の発生を防止して、微小移動距離に対する力係数を表すＢＬ曲線を改善するために、斜角のついた縁部を有してよい。
【００２３】
表面音響変換器１００の切り欠き図を示す図４Ａ及び更に詳細には断面Ｃの展開図を示す図４Ｂに注目すると、ボイスコイル組立体１１７は、ボイスコイル形成器１１５及びボイスコイルワイヤ１１６を備える。ボイスコイル形成器１１５は円筒形の形状を備えてよく、またボイスコイル組立体１１７の一部又は一部分を形成してよい。ボイスコイルワイヤ１１６は、図４Ｂに示すように、ボイスコイル形成器１１５の少なくとも一部分を取り囲むように巻き付けてよく、これによりボイスコイルワイヤ１１６は少なくとも部分的に、磁石１１１が提供する磁場内に存在し得る。
【００２４】
本発明の少なくとも１つの実施形態では、上部シャントプレート１１２は、ボイスコイルワイヤ１１６に対して略重なるように配置してよく、その一方で、ボイスコイル組立体１１７が静止状態である場合、磁石１１１の一部分のみがボイスコイルワイヤ１１６に重なるように配置される。更に本発明の磁石１１１は好ましくは、ボイスコイル組立体１１７からおよそ０．３３ｍｍの距離だけ離れて（即ち０．３３ｍｍの間隙を提供して）設置され、これにより磁石１１１とボイスコイル組立体１１７とが衝突しないことが保証される。他の実施形態では、上記間隙は０．２５〜０．４ｍｍの様々な範囲となる。ボイスコイル組立体１１７が、例えば外部電源から末端アタッチメント１０５を介した入力電気信号によって励起された場合のように、励起状態である場合、ボイスコイル組立体１１７は、受信した信号に応じて移動し得る。フランジ１０３に連結されたスパイダ１０２は、ボイスコイル組立体１１７を取り囲むように並置され、これにより、ボイスコイル形成器１１５に当接してその運動を少なくとも部分的に妨害する及び／又は減衰させる。ある好ましい実施形態では、スパイダ１０２は可撓性材料で形成され、これにより、ボイスコイル組立体１１７の大きな微小移動範囲又は運動が可能となる。
【００２５】
再び図４Ａに注目すると、本発明の少なくとも１つの実施形態では、変換器ハウジング１２０は、ボイスコイル組立体１１７が磁石１１１に対して可動である状態で配置されるように、ボイスコイル組立体１１７及び磁石１１１を含む一次組立体１１０を格納するよう構造形成される。換言すれば、ボイスコイル組立体１１７は、フランジ１０３及びヨーク１０４を備える変換器ハウジング１２０に対して可動である状態で取り付けられ、これによりボイスコイル組立体１１７は、１つ以上の様々な励起状態中に、微小移動の経路に沿って変換器ハウジング１２０から軸方向外向きに移動でき、また図４Ａ及び４Ｂに示す位置に戻って静止できる。
【００２６】
更に図１２〜１３に移ると、本発明の他の実施形態は更に、上述の表面音響変換器１００を、航空機の内部キャビン、隔壁及び／又は窓パネルといった表面又は材料に設置するために利用される、外側ハウジング２００を備える。図１２に示すように、外側ハウジング２００は、表面音響変換器１００を少なくとも部分的に閉じ込めてよく、これにより変換器１００をその中に保持して、１つ以上の設置用ブラケット２０３及び／又は２０３’等の少なくとも１つの設置用ブラケットを介して表面７５に取り付ける。変換器１００は、外側ハウジング２００内に設置されると、外側ハウジング２００と中心が位置合わせされた状態を維持し、また正中線ねじ２０６を利用して、変換器１００を外側ハウジング２００内に安定化させて付着させることができ、これに伴って上記ねじは、外側ハウジング２００の近位部分を形成する微小移動カバー２０１の中心アパーチャ２０５に入り、変換器ハウジング１２０の遠位部分に取り付けられた又は上記遠位部分を形成するヨーク１０４に向かって遠位へと到達し、これにより構造固定機構として作用する。
【００２７】
図１３Ａ〜１３Ｃの更なる詳細に注目すると、外側ハウジング２００は一般に、保持壁２０２、少なくとも１つの設置用ブラケット２０３及び／又は２０３’並びに微小移動カバー２０１を備える。保持壁２０２は好ましくは円筒形の剛性組成物で形成され、これにより、表面変換器１００及び外側ハウジング２００が取り付けられる航空機の表面又は内部キャビンに人物がもたれかかった場合等に、保持壁２０２の内部を外力から保護する。従って保持壁２０２は更に、少なくとも１つの設置用ブラケット２０３及び／若しくは２０３’に取り付けてよく、又はこれらを用いて形成してよく、上記設置用ブラケット２０３及び／又は２０３’は、各ブラケット上に、爪状部若しくはねじ又は接着剤等の従来の様式で外側ハウジング２００を略平坦な表面に固定するための少なくとも１つのアパーチャ２０４を備える。一実施形態では、設置用ブラケット、あるいはそのそれぞれのアパーチャ２０４は任意であってよい。というのは、外側ハウジング２００は接着剤によって表面に固定できるためである。図１６で詳細に示されている別の実施形態では、設置用ブラケット２０３、２０３’、あるいはそのそれぞれのアパーチャ２０４により、接着剤５０による結合の機械的補強を可能とすることができる。というのは、接着剤５０がアパーチャ２０４に流れ込んで反対側の表面７５に達し、アパーチャ２０４の外側に、乾燥時に概ね「きのこ」状の形状を有し得る大面積５２を生成し、これによって更なる機械的締結強度が得られるためである。特に、本発明の変換器組立体の構成に基づくと、特定の実施形態では接着剤５０による結合の使用が最適となり得る。更に、望ましい場合、更なる強度を提供するために、設置用ブラケット２０３、２０３’と表面７５との間の表面間接触に基づく通常の結合強度に加えて、設置用ブラケット２０３、２０３’を表面７５上に押し下げて保持するためのリベット又はねじの頭に極めてよく似た作用をもたらす大面積５２によっても、機械的結合が生成される。なお、上記好ましい実施形態では、設置用ブラケット２０３、２０３’は連結器リング１０１と同一の下側表面７５に設置されているが、代替実施形態では、これらは異なる、くっついた又は別個の表面に設置できる。
【００２８】
微小移動カバー２０１は、保持壁２０２上に形成されるか、又は複数の接触部分２０７を介して保持壁２０２に取り付けられる。図１３Ｂに示す実施形態では、微小移動カバー２０１は、３つの接触部分２０７を有する渦巻き又はらせん構造を備え、これにより、その中に格納された変換器１００に対してある程度の保護を提供しながら、同時に変換器１００、より具体的には一次組立体及び／又はボイスコイル組立体の、外向きの微小移動を可能とする。換言すれば、その構造的構成、組成、接触部分及び／又はこれらの組み合わせにより、微小移動カバー２０１の順応性をサポートし、これはまた、変換器１００が１つ以上の励起状態に入ったことに応答して外向きに移動でき、従って音響を減衰させるのではなく、より豊かでより活気のある音響をサポートするのを支援できる。当然のことながら、他の実施形態では、必要な順応性又は剛性の程度に応じて、微小移動カバー２０１の様々な組成的及び物理的特徴に加えて、２つ以上の接触部分２０７を使用してよいことを理解されたい。
【００２９】
一実施形態では、外側ハウジング２００を射出成形で形成してよく、射出成形樹脂としては、限定するものではないが、ポリプロピレン、ポリエチレン、ＡＢＳ、ポリカーボネート、ガラス補強成形樹脂、難燃剤を含む射出成形樹脂が挙げられる。他の実施形態では、外側ハウジング２００は、鋼鉄打ち抜き加工及び／又は当業者に公知の他の適切な材料で形成してよい。
【００３０】
再び図５〜１１に注目すると、本発明の変換器１００の各要素が更に、別個に斜視図で示されている。
【００３１】
図５は、本発明の連結器リング１０１を示す。連結器リング１０１の材料組成は、ポリカーボネート、プラスチック及び／若しくは他の適切な材料、又はこれらの組み合わせを含んでよい。連結器リング１０１は、音響の生成のために一次組立体からの振動を伝達するために、航空機の内部キャビンといった外側表面に対して配置することを目的としてよい。
【００３２】
図６は、連結器リング１０１に取り付けられたボイスコイル形成器１１５を備えるボイスコイル組立体１１７を示す。ボイスコイル形成器１１５は好ましくはアルミニウムで形成されるが、他の適切な材料を利用してもよい。ボイスコイル形成器１１５は、本発明のある好ましい実施形態ではおよそ０．０５ｍｍの厚さを備えてよい。ボイスコイルワイヤ１１６は、ボイスコイル形成器１１５を取り囲むように巻いてよい。ある好ましい実施形態では、ボイスコイル形成器１１５及びワイヤ１１６の直径は２０〜２８ｍｍであってよい。別の実施形態では、ボイスコイルワイヤの１層の巻きにより、２６．５ｍｍの直径を得てよい。別の実施形態では、２層の巻きによって２６．８ｍｍの直径を得てよい。ボイスコイルワイヤ１１６は好ましくは銅で形成されるが、他の適切な材料を利用してもよい。本発明の少なくとも１つの実施形態では、表面音響変換器１００は、２０Ｗ〜３０Ｗのワット数のボイスコイルを備える。ある好ましい実施形態では、ボイスコイルのワット数は２５Ｗである。
【００３３】
図７は、ボイスコイル組立体１１７及びそのボイスコイルワイヤ１１６に磁場を提供するための、本発明の磁石１１１を示す。磁石１１１は、少なくとも１つの実施形態では、ネオジム‐鉄‐ホウ素（ＮｄＦｅＢ）Ｎ４２Ｈ磁石を含んでよい。当然のことながら、本発明の他の様々な実施形態では、Ｎ２４〜Ｎ５２の他のグレードのＮｄＦｅＢを用いてもよい。他の様々な材料としては、アルニコ（ＡｌＮｉＣｏ）、サマリウムコバルト（ＳｍＣｏ）、及び他の公知かつ適切な希土類磁石又は永久磁石を利用してよい。ある好ましい実施形態では、磁石は略円筒形及び／又はディスク状の形状又はプロファイルを備える。
【００３４】
図８は、本発明の、外部ソースからの電気入力を受信するための末端アタッチメント１０５を保持するよう構造形成された、フランジ１０３を示す。フランジ１０３の材料組成は、ポリカーボネート又はプラスチックの化合物及び／又は混合物を含んでよい。
【００３５】
図９は、本発明の、ボイスコイル組立体１１７の移動を減衰させるか又は少なくとも部分的に妨害するよう構造形成されて協働するよう配置される、スパイダ１０２を示す。スパイダ１０２の材料組成は、樹脂含浸布地又は織物を含んでよい。しかしながら、所望の機械的コンプライアンス（又は剛度の逆数）を達成するために、当業者に公知の他の可撓性材料及び／又はコーティングを用いてもよい。スパイダ１０２の好ましい機械的コンプライアンスは、０．２３ミリメートル／ニュートン（ｍｍ／ｎ）であり、これは当該技術分野で公知の他の変換器よりも大きな微小移動範囲（小さな減衰）を提供する。他の様々な実施形態では、０．２ｍｍ／Ｎ〜０．３ｍｍ／Ｎの範囲を用いてもよい。
【００３６】
図１０は、好ましくは本発明の磁石１１１に連結された、本発明の上部シャントプレート１１２を示す。上部シャントプレート１１２の材料組成は、ＥＮ１Ａ等の軟鋼又は低炭素鋼を含んでよいが、当業者に公知の他の適切な金属も含んでよい。
【００３７】
図１１は、変換器ハウジング１２０の遠位端を形成する本発明のヨーク１０４を示す。図示されているように、ヨークは、変換器ハウジング１２０を付着させて安定化するために、Ｍ４ねじ又は他のねじといったねじを挿入するための、複数の溝切りを備えてよい。ヨーク１０４は同様に、ＥＮ１Ａ等の軟鋼又は低炭素鋼を含んでよいが、当業者に公知の他の適切な金属も含んでよい。
【００３８】
本発明の更なる実施形態は、上質の音響を生成するため、及び／又はノイズキャンセル用途のために、本発明の表面音響変換器又は同様の変換器を使用するための、システム及び方法を対象とする。
【００３９】
本発明の少なくとも１つのシステム実施形態では、上述の変換器１００等の複数の表面音響変換器を、車両の窓、壁又は内部キャビンといったパネル又は表面に取り付けてよい。具体的には、一実施形態は、航空機の窓パネルであって、その上に配置され、航空機内の隔壁又はキャビン壁の下方に隠された、複数の表面音響変換器を有する、航空機の窓パネルを対象としてよい。
【００４０】
上記パネルの少なくとも１つの実施形態は、窓及び／又はその付近の様々なパネル若しくは表面の正味振動を低減するための、ノイズキャンセル動作を対象としてよい。従って複数の表面変換器を、隔壁の下側、又は航空機キャビン内部の不可視領域において、窓及び／又は窓パネルの表面に設置してよい。というのは、外部ノイズは一般に窓において最も大きく共鳴するためである。理想的には、図１４及び１５においてそれぞれシステム３００及び４００として全体を図示したように、変換器を窓の外周に沿って設置することによって、窓を塞がないようにする。これらの図及びシステムは、外側ハウジング２００による変換器１００の配置の様々な構成の例示的実施形態であり、限定的なものでは全くない。換言すれば、ハウジング２００によって、いずれの個数の変換器１００を、エンジンノイズ等の外部音響が、航空機又は他の車両の内部キャビンに入ってくる地点として作用し得る、外部及び／若しくは内部構造窓パネル、ダストカバー、彩色及び／若しくは電子彩色パネル、ガラス、又は他の透明材料、並びに不透明隔壁接続部に設置してよい。
【００４１】
パネルは更に、アクティブノイズ制御（ＡＮＣ）又はノイズキャンセルのために構成された様々な構成部品を備えてよく、上記様々な構成部品は、例えばノイズ源に対抗するための抗ノイズ信号を複数の変換器に放出させるためのものであり、また各変換器１００に対して、有線又は無線通信のいずれによって、窓パネル付近の航空機キャビンの内部又は不可視部分内に設置又は配置される。例えばパネルは、電源、受信機モジュール、処理ユニット及び少なくとも１つの変換器を備えてよい。受信機モジュールは、パネルの内部若しくは外部に設置してよく、又は離れた場所に設置して、パネル及び処理ユニットに通信可能に接続してよい。受信機モジュールはマイクロフォンを備えてよく、音響信号又はノイズ信号を受信してこれを処理ユニットに中継するよう構成される。処理ユニットは、ノイズ信号を受信して、抗ノイズ信号を生成するよう構成され、上記抗ノイズ信号は、上記ノイズ信号に対して同一の振幅を有するものの逆転した位相（即ち逆相）を有する音響信号である。次にこの抗ノイズ信号を少なくとも１つの変換器に送信し、パネルにおいて再生することによって、外部エンジンノイズといった、受信機モジュールが受信したいずれのノイズをキャンセルする。
【００４２】
本発明の別の実施形態は、上述の変換器１００等の表面音響変換器を対象とする音響処理のための方法を対象としてよい。上述のように、従来技術のある公知の制約は、主に表面変換器の機械的制約、即ち十分な機械的微小移動の欠如により、表面変換器のベース周波数が不十分であることである。この制約を克服するため、及びより豊かな低音を提供するために、本発明の方法はまず、音響信号のピークデシベルを制限する様々な点を選択することを考える。次にこれらの点において音響を処理して、音響信号の振幅を低減し、その周波数をこれに比例して増強させる。この方法論及び他の音響処理方法論は、米国特許第８１６０２７４号に記載されているような本出願人のデジタル信号処理方法に従って達成してよく、上記特許は参照によりその全体が本出願に援用される。
【００４３】
以上のステップは、これらのみを実施してもこれら以外も含めて実施してもよく、またいずれの順序で実施してよいことを理解されたい。更に本方法において挙げられている物理デバイスは、本文書内で記載されている、又は当業者に公知の、いずれの装置及び／又はシステムを備えてよい。
【００４４】
本発明の上述の好ましい実施形態に対して、多くの細部の修正、改変及び変更を実施できるため、以上の説明中の、添付の図面に示されている全ての事物は、例示として解釈され、限定的な意味で解釈されないことが意図されている。よって本発明の範囲は、添付の請求項及びその法的均等物によって決定されるものとする。
【００４５】
以上を本発明の説明とする。
【符号の説明】
【００４６】
５０      接着剤
５２      大面積
７５      表面
１００    表面音響変換器
１０１    連結器リング
１０２    スパイダ
１０３    フランジ
１０４    ヨーク
１０５    末端アタッチメント
１１０    一次組立体
１１１    磁石
１１２    上部シャントプレート
１１５    ボイスコイル形成器
１１６    ボイスコイルワイヤ
１１７    ボイスコイル組立体
１２０    変換器ハウジング
２００    外側ハウジング
２０１    微小移動カバー
２０２    保持壁
２０３    設置用ブラケット
２０３’  設置用ブラケット
２０４    アパーチャ
２０５    中心アパーチャ
２０６    正中線ねじ
２０７    接触部分
３００    システム
４００    システム
【図１】
2018537910.tif 000003
【図２】
2018537910.tif 000004
【図３Ａ】
2018537910.tif 000005
【図３Ｂ】
2018537910.tif 000006
【図４Ａ】
2018537910.tif 000007
【図４Ｂ】
2018537910.tif 000008
【図５】
2018537910.tif 000009
【図６】
2018537910.tif 000010
【図７】
2018537910.tif 000011
【図８】
2018537910.tif 000012
【図９】
2018537910.tif 000013
【図１０】
2018537910.tif 000014
【図１１】
2018537910.tif 000015
【図１２】
2018537910.tif 000016
【図１３Ａ】
2018537910.tif 000017
【図１３Ｂ】
2018537910.tif 000018
【図１３Ｃ】
2018537910.tif 000019
【図１４】
2018537910.tif 000020
【図１５】
2018537910.tif 000021
【図１６】
2018537910.tif 000022
【国際調査報告】
2018537910.tif 000023